(57)【特許請求の範囲】
【請求項１】
室内機筐体内に、空気吸込口に沿って配置されたフィルタと、上記フィルタを移動可能に支持するガイドレールと、上記フィルタに付着したゴミを除去するフィルタ清掃部とを有し、上記フィルタが上記フィルタ清掃部に装着された状態で上記室内機筐体から着脱可能な空気調和機において、
上記フィルタ清掃部は、上記フィルタから除去されたゴミを回収するダストボックスを備え、上記ダストボックスには、上記フィルタ清掃部を上記室内機筐体内に取り付けた際に上記ガイドレールによるフィルタ移動経路の一部に含まれ、上記フィルタの移動方向に沿った長さが上記ダストボックスの長さよりも長いフィルタ通路が連設されていることを特徴とする空気調和機。
【請求項２】
上記ガイドレールの一端は、上記フィルタ通路の一方の開口部に向けて連通していることを特徴とする請求項１に記載の空気調和機。
【請求項３】
上記室内機筐体の前面側には、上記フィルタ清掃時に上記室内機筐体の前面側に移動してきた上記フィルタを上記室内機筐体外に排出することなく移動させる引込みレールが設けられており、上記引込みレールの入口に向けて上記フィルタ通路の他方の開口部が連通していることを特徴とする請求項１または２に記載の空気調和機。
【発明の詳細な説明】
【技術分野】
【０００１】
本発明は、フィルタ自動清掃機能を備えた空気調和機に関し、さらに詳しく言えば、フィルタ清掃部にフィルタを取り付けた状態で室内機筐体から取り外すことができる空気調和機に関する。
【背景技術】
【０００２】
一般に、空気調和機には、熱交換器に入る空気に含まれるゴミや埃を除去するためのフィルタが設けられている。通常、この種のフィルタは、フィルタに溜まったゴミを定期的に掃除する必要があるが、このフィルタの定期清掃作業は煩わしく、面倒であった。
【０００３】
そこで、最近では、フィルタ清掃を定期的に自動で行うフィルタ清掃機能を備えた空気調和機が提供されている。例えば特許文献１に示すように、この空気調和機は、室内機筐体内に、空気吸込口に沿って配置されたフィルタと、フィルタに付着したゴミを清掃ブラシで除去するフィルタ清掃部とを有し、フィルタ清掃部にフィルタを挟み込んだ状態で、フィルタを前後にスライドさせることで、フィルタに付着したゴミをフィルタ清掃部で回収できるようになっている。
【０００４】
しかしながら、特許文献１に記載の空気調和機のフィルタ清掃部には、次のような課題があった。すなわち、特許文献１のフィルタ清掃部は、フィルタ清掃部内に溜まったゴミを捨てるため、フィルタ清掃部を室外機本体から取り外す必要があるが、特許文献１に記載のフィルタ清掃部は、フィルタ清掃部にフィルタが一体的に取り付けられているため、フィルタ清掃部を取り外すと、フィルタも一緒に外れる。
【０００５】
取り外されたフィルタ清掃部は、まず、フィルタ清掃部からフィルタを取り外したのち、内部に溜まったゴミを捨て、その後、再びフィルタをフィルタ清掃部に取り付けてから、室外機筐体に戻されていた。
【０００６】
しかしながら、フィルタ清掃部を室内機筐体内に戻す際、まず先にフィルタ清掃部から突出したフィルタの先端部分を室内機筐体内に差し込んでゆくが、その際にフィルタの先端が室内機筐体の一部に当たると、フィルタの取付位置がずれてしまうことがあった。フィルタの取付位置がずれた場合、フィルタ清掃時にフィルタ送りに不具合が生じるおそれがある。
【先行技術文献】
【特許文献】
【０００７】
【特許文献１】特開２００９−１６８３８６号公報
【発明の概要】
【発明が解決しようとする課題】
【０００８】
そこで、本発明は上述した課題を解決するためになされたものであって、その目的は、フィルタを取り付けた状態のフィルタ清掃部を室内機筐体から安全に取り付けおよび取り外すことができる空気調和機を提供することにある。
【課題を解決するための手段】
【０００９】
上述した目的を達成するため、本発明は以下に示すいくつかの特徴を備えている。請求項１に記載の発明は、室内機筐体内に、空気吸込口に沿って配置されたフィルタと、上記フィルタを移動可能に支持するガイドレールと、上記フィルタに付着したゴミを除去するフィルタ清掃部とを有し、上記フィルタが上記フィルタ清掃部に装着された状態で上記室内機筐体から着脱可能な空気調和機において、
上記フィルタ清掃部は、上記フィルタから除去されたゴミを回収するダストボックスを備え、上記ダストボックスには、上記フィルタ清掃部を上記室内機筐体内に取り付けた際に上記ガイドレールによるフィルタ移動経路の一部に含まれ、上記フィルタの移動方向に沿った長さが上記ダストボックスの長さよりも長いフィルタ通路が連設されていることを特徴としている。
【００１０】
請求項２に記載の発明は、上記請求項１において、上記ガイドレールの一端は、上記フィルタ通路の一方の開口部に向けて連通していることを特徴としている。
【００１１】
請求項３に記載の発明は、上記請求項１または２において、上記室内機筐体の前面側には、上記フィルタ清掃時に上記室内機筐体の前面側に移動してきた上記フィルタを上記室内機筐体外に排出することなく移動させる引込みレールが設けられており、上記引込みレールの入口に向けて上記フィルタ通路の他方の開口部が連通していることを特徴としている。
【発明の効果】
【００１２】
請求項１に記載の発明によれば、フィルタ清掃部は、フィルタから除去されたゴミを回収するダストボックスを備え、ダストボックスには、フィルタ清掃部を室内機筐体内に取り付けた際にガイドレールによるフィルタ移動経路の一部に含まれ、フィルタの移動方向に沿った長さが上記ダストボックスの長さよりも長いフィルタ通路が連設されていることにより、フィルタ清掃部を室内機筐体に着脱する際に、フィルタが動いたりずれたりすることがなく、着脱の作業性が向上する。
【００１３】
請求項２に記載の発明によれば、室内機筐体には、フィルタを支持するとともに、フィルタ清掃時にフィルタの移動通路となるガイドレールが設けられており、ガイドレールの一端はフィルタ通路の一方の開口部に向けて連通していることにより、室内機筐体内でフィルタを機外に出すことなく、前後に移動させて清掃することができる。
【００１４】
請求項３に記載の発明によれば、室内機筐体の前面側には、フィルタ清掃時に室内機筐体の前面側に移動してきたフィルタを室内機筐体外に排出することなく移動させる引込みレールが設けられており、引込みレールの入口に向けてフィルタ通路の他端が連通していることで、前面側に運ばれてきたフィルタを機外に出すことなく、移動させることができる。
【図面の簡単な説明】
【００１５】
【図１】本発明の一実施形態に係る空気調和機の外観斜視図。
【図２】上記空気調和機の前面パネルを取り外した状態の外観斜視図。
【図３】上記空気調和機の内部構造を一部省略した断面図。
【図４】上記空気調和機のフィルタの斜視図。
【図５】上記空気調和機のフィルタ清掃部の斜視図。
【図６】上記フィルタ清掃部を開いた状態の斜視図。
【図７】上記フィルタ清掃部の内部構造を一部省略した状態の断面図。
【図８】上記フィルタ清掃部の上部フィルタ清掃ユニットを上面側から見た斜視図。
【図９】上記フィルタ清掃部の上部フィルタ清掃ユニットを底面側から見た斜視図。
【図１０】上記上部フィルタ清掃ユニットのリリースレバーを開いた状態の斜視図。
【図１１】上記上部フィルタ清掃ユニットのストッパーレバーの収納状態を示す部分拡大斜視図。
【図１２】上記ストッパーレバーの斜視図。
【図１３】上記リリースレバーを底面側から見た状態の部分拡大斜視図。
【図１４】（ａ）上記リリースレバーを開いた状態の上記フィルタ清掃ユニットの断面図，（ｂ）上記リリースレバーを閉じた状態の上記フィルタ清掃ユニットの断面図。
【図１５】上記フィルタ清掃部の下部フィルタ清掃ユニットを上面側から見た斜視図。
【図１６】上記下部フィルタ清掃ユニットのサイドカバーを取り外した状態の部分拡大斜視図。
【図１７】上記下部フィルタ清掃ユニットの要部断面図。
【図１８】（ａ）上記下部フィルタ清掃ユニットのガイド溝を示す要部断面図，（ｂ）ガイド溝にフィルタを差し込んだ状態の要部断面図。
【発明を実施するための形態】
【００１６】
次に、本発明の実施形態について図面を参照しながら説明するが、本発明はこの限りではない。図１〜図３に示すように、この空気調和機（室内機ユニット）１は、図示しない背板を介して壁面に支持されるケーシング１０を備えている。
【００１７】
ケーシング１０には、熱交換器２とクロスフローファン（図示しない）が架け渡されるようにして支持されている。この例において、熱交換器２は、上下２段の前面側熱交換器２１と、１段の背面側熱交換器２２とをラムダ（Λ）型に組み合わせたものが用いられている。本発明において、熱交換器２とクロスフローファンの具体的な構成は仕様に応じて任意に選択されてよい。
【００１８】
また、ケーシング１０の下面側には、空気吹出口１７や風向板１８、ディフューザー１９などが設けられるが、本発明において、これらの構成は任意的な構成要素であって、特に限定されることはない。
【００１９】
ケーシング１０には、熱交換器２の上面を覆う上面パネル１１と、熱交換器２の前面を覆う前面パネル１２と、熱交換器２の左右両端を支持する側面パネル１３とを備えている。この例において、各パネルは合成樹脂の成型品からなる。
【００２０】
上面パネル１１および前面パネル１２には、空気を室内機ユニット１に取り込むための空気吸込口１４が設けられている。前面パネル１２の一部には、運転時に開くことにより、空気吸込口１４の開口面積を大きくして、空気流入量を増やすオープンパネル１５が設けられている。
【００２１】
オープンパネル１５は合成樹脂製の板体からなり、室内機ユニット１の前面パネル１２の一部を覆い隠すように設けられている。オープンパネル１５は、その下端が図示しない回転軸を介して前面パネル１２の一部に回動可能に連結されている。
【００２２】
オープンパネル１５は、その上端（自由端）が図示しない開閉駆動手段により開閉するようになっている。この例において、オープンパネル１５の開閉にはモータを動力とした開閉駆動手段が用いられているが、これ以外に例えばソレノイドなどの各種アクチュエータを用いてもよい。また、バネ力などを利用して開閉するようにしてもよい。
【００２３】
室内機ユニット１の内部には、空気吸込口１４に対応するようにフィルタ３が設けられている。この例において、フィルタ３は、横並び（図２の左右方向）に２枚設けられており、それぞれが空気吸込口１４の約半分を覆うようになっている。なお、フィルタ３は、左右ともに同一形状である。
【００２４】
図４に示すように、フィルタ３は、矩形状のフィルタ桟３１と、フィルタ桟３１に沿って張設されたフィルタシート３２とを有する薄板状に形成されている。フィルタ桟３１は、合成樹脂の成型品からなり、幅方向（図４では左右方向）の両端には、フィルタ３を前後に送るためのラック溝３３，３３が設けられている。
【００２５】
ラック溝３３は、フィルタ桟３１とともに一体成形されており、フィルタ３の送り量を揃えるため、左右同一ピッチで左右対称に形成されている。この例において、フィルタ桟３１の一部には、フィルタ３が空気吸込口１４の所定位置に配置されているかどうかを検知するための検知孔３４が設けられている。検知孔３４は、フィルタ３を厚さ方向に貫通する貫通孔であって、室内機筐体１のガイドレール４に設けられた図示しない検知スイッチによって検知孔３４が検出されることで、制御手段がフィルタ３が初期位置に配置されたかどうかを検出することができる。
【００２６】
再び図３を参照して、室内機ユニット１の内部には、フィルタ３をスライド可能に支持するガイドレール４が設けられている。ガイドレール４は、フィルタ３を幅方向の両端から支持するように左右一対に設けられており、上面パネル１１から前面パネル１２にかけて緩やかなアーチ状に形成されている。フィルタガイド３１に沿ってフィルタ３が配置されることで、フィルタ３が熱交換器２の上流側に配置される。
【００２７】
室内機ユニット１の内部には、フィルタ３を清掃するためのフィルタ清掃部５，５がガイドレール４の一端側（図３では左端）に隣接するように配置されている。図２に示すように、フィルタ清掃部５，５は、１枚のフィルタ３に対して１つ設けられており、この例では、室内機ユニット１の前面側に左右一対となって設けられている。なお、フィルタ清掃ユニット５，５はともに同一形状であるため、以下においてはいずれか一方のみについて説明する。
【００２８】
図５および図６を併せて参照して、フィルタ清掃部５は、フィルタ３の一方の面（図３では上面）側に配置される上部フィルタ清掃ユニット１００と、フィルタ３の他方の面（図３では下面）側に配置される下部フィルタ清掃ユニット２００とを有し、それらがフィルタ３を挟んで対向的に配置されている。
【００２９】
フィルタ清掃部５は、上部フィルタ清掃ユニット１００と下部フィルタ清掃ユニット２００とが図示しない水平回転軸を中心に開閉自在に連結されている。図７〜図１０を参照して、上部フィルタ清掃ユニット１００は、桟状のメインフレーム１１０と、フィルタ３に付着したゴミを回収するダストボックス１３０と、フィルタ清掃部５を室内機ユニット１から脱着する際の把持部としてのリリースレバー１５０とを備えている。
【００３０】
メインフレーム１１０は、フィルタ３の幅とほぼ同じ間隔で配置される左右一対のサイドフレーム１１１，１１１と、サイドフレーム１１１，１１１の一端側に架け渡される補強フレーム１１２と、サイドフレーム１１１，１１１の間に所定間隔をもって平行に配置されるガイドフレーム１１３とを備えている。
【００３１】
サイドフレーム１１１，１１１は、内部が中空な合成樹脂の成型品からなり、フィルタ３の移動方向に沿って延びる矩形状に形成されている。サイドフレーム１１１，１１１の内部には、フィルタ清掃部５を室内機ユニット１の内部に固定するための係止爪１１４およびその駆動機構（図示しない）が内蔵されている。
【００３２】
係止爪１１４は、駆動機構を介してリリースレバー１５０が開状態のとき、サイドフレーム１１１，１１１の側面から突出し、リリースレバー１５０が閉状態のとき、サイドフレーム１１１，１１１の内部に収納されるようになっている。本発明において、係止爪１１４およびその駆動機構は任意的事項であるため、その具体的な説明は省略する。
【００３３】
サイドフレーム１１１，１１１およびガイドフレーム１１３のフィルタ３に対向するガイド面１１５は、後述する下部フィルタ清掃ユニット２００に沿って形状的に合致するようほぼ平坦に形成されている。その先端側１１６（図７では左側）は、フィルタ清掃時にフィルタ３の一部を後述する引込みレール６に案内するため、湾曲されている。
【００３４】
図７および図１３に示すように、ガイド面１１５には、後述するフィルタストッパー１８０のストッパーレバー１８３を引き出すための引出孔１１７が設けられており、この引出孔１１７からストッパーレバー１８３がフィルタ３に向かって出没する。
【００３５】
図３および図７を参照して、ダストボックス１３０は、サイドフレーム１１１，１１１の後端側（図７では右側）に架け渡されるように配置されており、内部にゴミを貯留しておくための空間が確保されている。ダストボックス１３０の内部には、フィルタ３に接触してゴミを掻き取る清掃ブラシ１３１と、清掃ブラシ１３１に付着したゴミを回収するリフレッシュブラシ１３２とが設けられている。
【００３６】
清掃ブラシ１３１は、水平回転軸を中心に回動可能に設けられた台座の上に扇状のブラシ本体１３３を備えている。ブラシ本体１３３は合成樹脂製で、フィルタ３の清掃時にフィルタ面に対して直交もしくは鋭角的に接触するように植設されている。
【００３７】
リフレッシュブラシ１３２は、清掃ブラシ１３１の外周側に配置されたアーチ状のブラシ台１３４の内周面（清掃ブラシ１３１に対向する面）に沿って植設されたリフレッシュブラシ本体１３５を備えている。
【００３８】
リフレッシュブラシ本体１３５は、ブラシ台１３４の内周面に沿って配置されており、ブラシ台１３４の付け根から所定角度傾斜するように植設された傾斜ブラシである。この例において、リフレッシュブラシ本体１３５は、清掃ブラシ４３の回転方向に対して鋭角的に接触するように傾斜されている。
【００３９】
本発明において、ダストボックス１３０、清掃ブラシ１３１および回収ブラシ１３２の具体的な形状やスペックなどは、フィルタに付着したゴミを回収することができる基本的な機構を備えていれば、仕様に応じて選択されてよい。さらに、清掃ブラシ１３１を専用に解きほぐすための解毛手段を備えるなどしてもよい。
【００４０】
また、この例において、フィルタ清掃部５は、ダストボックス１３０内に設けられた清掃ブラシ１３１を清掃手段として用いているが、フィルタ３に付着したゴミを除去する方法としては、これに限られることはない。すなわち、吸引ノズルによる吸引除去や、転写ローラなどによってゴミを転写除去してもよく、清掃手段については、仕様に応じて任意に選択されてよい。
【００４１】
図９に示すように、ダストボックス１３０の側面底部には、清掃ブラシ１３１を回動させるための回転ギア１３６が設けられている。回転ギア１３６は、室内機ユニット１側に設けられた図示しない駆動ギアに歯合されることにより、回転ギア１３６を介して清掃ブラシ１３１が前後に回動する。
【００４２】
リリースレバー１５０は、メインフレーム１１０の各サイドフレーム１１１，１１１の上端側に回動自在に連結されるレバーアーム１５１，１５１と、レバーアーム１５１，１５１の自由端側に架け渡されたグリップ１５２とを有し、全体がコ字型のアーチ状に形成されている。リリースレバー１５０は、合成樹脂製で一体成型品からなる。
【００４３】
各レバーアーム１５１，１５１の先端には、図示しない回転軸が設けられており、その回転軸が各サイドフレーム１１１，１１１の図示しない軸受孔によって軸支されることで、メインフレーム１１０に対して上下に開閉可能に取り付けられている。
【００４４】
この例において、リリースレバー１５０の回転軸には、コイルバネ（ともに図示しない）が設けられており、コイルバネを介してリリースレバー１５０が常に開く方向（図１４では上下方向）にバネ付勢されている。
【００４５】
グリップ１５２には、フィルタ清掃部５を室内機ユニット１に取り付けた状態で固定する際、スライドロック１６が係止される係合凹部１５３が設けられている。係合凹部１５３は、グリップ１５２の前端から中央に向かって切り欠かれた切欠部からなり、１つのリリースレバー１５０に２箇所設けられている。
【００４６】
図２を参照して、スライドロック１６は、前面パネル１２の一部に設けられたスライド式の係止爪からなり、図示しないバネ手段を介して常にロック側（図２では左方向）にバネ付勢されている。本発明において、スライドロック１６の具体的な構成は任意である。
【００４７】
この例において、フィルタ清掃部５は、フィルタ３を取り付けた状態で室内機ユニット１から脱着される。そこで、このフィルタ清掃部５には、脱着時におけるフィルタ３の移動を規制するフィルタストッパー１８０が設けられている。
【００４８】
図７，図１１〜図１３に示すように、フィルタストッパー１８０は、サイドフレーム１１１の内部に軸支される回転軸１８１と、フィルタに係止されるストッパーレバー１８３と、回転軸１８１を挟んでストッパーレバー１８３に対向するように取り付けられるストッパー解除レバー１８２とを備えている。フィルタストッパー１８０は、合成樹脂の成型品からなる。
【００４９】
ストッパー解除レバー１８２は、回転軸１８１の外周面から外側に向かって円弧状に突設された舌片状に形成されている。ストッパーレバー１８３は、ストッパー解除レバー１８２と回転軸１８１を挟んで対向する位置から円弧状に突設する舌片状に形成されている。
【００５０】
ストッパーレバー１８３は、その先端がフィルタ３のラック溝３３に係合するように形成されている。ストッパーレバー１８０の回転軸１８１には、図示しないコイルバネが同軸的に取り付けられており、このコイルバネを介してストッパーレバー１８３の先端が引出孔１１７から常に突出する方向にバネ付勢されている。
【００５１】
図７および図１３に示すように、リリースレバー１５０の底面（メインフレーム１１０に対向する面）の一部には、後述するフィルタストッパー１８０のストッパー解除レバー１８２を押圧する解除凸部１５４が設けられている。解除凸部１５４は、リリースレバー１５０の底面、より詳しくはレバーアーム１５１の底面からストッパー解除レバー１８２に向かって突設する舌片である。
【００５２】
これによれば、図１４（ａ）に示すように、リリースレバー１５０が開いた状態（上に持ち上げられた状態）では、フィルタストッパー１８０は回転フリーな状態であるため、コイルバネの復元力によってストッパーレバー１８３の先端が引出孔１１７から突出して、フィルタ３のラック溝３３に係止され、フィルタ３はロック状態となる。
【００５３】
ロック状態において、例えばフィルタ３を前後に強制的にスライドさせようとしても、ラック溝３３にストッパーレバー１８３が係合しているため、フィルタ３の移動を完全に規制することができる。
【００５４】
リリースレバー１５０を閉じると、図１４（ｂ）に示すように、リリースレバー１５０の解除凸部１５４が第１ストッパーレバー１５２をバネ付勢に抗して下に押し下げることによって、回転軸１８１を介してストッパーレバー１８３が上方に回動され、これにより、ラック溝３３との係合が解除され、フィルタ３の規制が解除される。
【００５５】
次に、図７，図１５〜図１８を参照して、下部フィルタ清掃ユニット２００について説明する。下部フィルタ清掃ユニット２００は、フィルタ３の幅とほぼ同じの間隔をもって配置された一対のサイドフレーム２１０，２１０と、サイドフレーム２１０，２１０の一端側に架け渡されるフィルタ受け２３０と、サイドフレーム２１０，２１０の他端側に架け渡される補強フレーム２５０とを有する格子状に形成されている。
【００５６】
サイドフレーム２１０は、フィルタ３の移動方向に沿って延在する矩形状の成型品からなり、その内部には、フィルタ３が案内されるガイド溝２１１が設けられている。図７を併せて参照して、ガイド溝２１１は、サイドフレーム２１０側に設けられたガイドベース２１２と、ガイドベース２１２の側面に着脱自在に設けられたＬ字状のガイド部材２１３との間に形成された空間であって、サイドフレーム２１０の延在方向（図７では左右方向）に沿って連続して形成されている。
【００５７】
サイドフレーム２１０の一端側には、フィルタ３をガイド溝２１１に向けて差し込むためのフィルタ挿入部２１４が設けられている。フィルタ挿入部２１４は、ガイド部材２１３の一部を切り欠くことによりガイドベース２１２の一部が露出する開口部からなる。
【００５８】
図１７に示すように、フィルタ挿入部２１４は、その開口長さＬ１、ガイド溝２１１の長さＬ２（より具体的には、ガイド溝の始端から送りローラ軸中心までの長さ）としたとき、Ｌ１≦１／２×Ｌ２となるように設計されている。この例において、長さＬ１は、親指の第１関節の平均的な長さである１５〜３５ｍｍに設定されていることが好ましい。
【００５９】
すなわち、開口長さＬ１がガイド溝の長さＬ２の１／２以下に設定されていることにより、ガイド溝２１１にフィルタ３を挿入する際、フィルタ３の左右の送り量のずれや、フィルタ３の一部がガイド溝２１１に引っ掛かるなどして撓みや歪みなどが生じるが、開口長さＬ１が短いことで、一度の指の送り量を小さくすることができ、その結果、フィルタ３を送りギア２３３に歯合するまでの間に、フィルタ３から指が少なくとも２回以上離れるため、指が離れた際にフィルタ３に生じた歪みや撓みを除去することができる。
【００６０】
フィルタ受け２３０は、フィルタ３を挟んでダストボックス１３０に対向的に配置されており、ダストボックス１３０とほぼ同じ面積の矩形状に形成されている。フィルタ受け２３０には、フィルタ３の下面側を押圧するフィルタ押さえ板２３１が、この例では３箇所設けられている。
【００６１】
フィルタ押さえ板２３１は、矩形状の樹脂製プレートからなり、その下面には図示しない圧縮バネが配置されている。これによれば、フィルタ押さえ板２３１は、常に上方向（フィルタ３方向）にバネ付勢されており、フィルタ清掃時にフィルタ３を上方で持ち上げて、上部フィルタ清掃ユニット１００の清掃ブラシ１３１による清掃効率を高めることができる。
【００６２】
フィルタ受け２３０にはさらに、フィルタ３を前後に移動させるためのフィルタ送り機構が組み込まれている。フィルタ送り機構は、図示しない外部駆動モータによって駆動される送りシャフト２３２と、送りシャフトの一端に設けられた送りギア２３３とを備えている。図１７に示すように、送りギア２３３は、フィルタ３のラック溝３３に合致可能な形状とされており、その一部がガイド溝２１１内部に向けて突出されている。
【００６３】
補強フレーム２５０は、サイドフレーム２１０，２１０の先端側に架け渡される梁部材であって、フィルタ受け２３０に対して平行に配置されている。補強フレーム２５０にはさらに、フィルタ受け２３０に向かって架け渡されるガイドフレーム２５１が設けられている。
【００６４】
補強フレーム２５０およびガイドフレーム２５１は、上部フィルタ清掃ユニット１００にもうけられた補強フレーム１１２およびガイドフレーム１１３に対向的に配置されている。
【００６５】
再び図３を参照して、フィルタ清掃部５の入口側（図３では左側）には、フィルタ清掃時にフィルタ３を手前側に移動させる際に、一部を引き込むための引込みレール６が設けられている。
【００６６】
引込みレール６は、一端がフィルタ清掃部５の開口部に向けて開放されており、数字の「６」字状に形成されている。これによれば、開口部から引き込まれたフィルタ６は、引込みレール６に沿って渦巻き状に中心に移動することで、フィルタ清掃時のフィルタ６を効率的に室内機ユニット１内で移動させることができる。
【００６７】
次に、本発明のフィルタ清掃部５の脱着方法の一例について説明する。フィルタ清掃部５を脱着するに当たっては、まず、オープンパネル１５を含む前面パネル１２の一部を開く。これにより、図２に示すように、室内機ユニット１の全面にフィルタ清掃部５が現れる。
【００６８】
次に、室内機ユニット１の前面側に配置されたスライドロック１６を所定方向、この例では右方向にスライドする。スライドロック１６を右にスライドすることで、リリースレバー１５０のロックが解除され、コイルバネのバネ付勢によってリリースレバー１５０が上に跳ね上がる。
【００６９】
この状態でリリースレバー１５０を手で把持しながら手前側に引き出すことにより、フィルタ清掃部５をフィルタ３とともに室内機ユニット１から取り外すことができる。その際、リリースレバー１５０が開いているため、フィルタストッパー１８０によってフィルタ３の動きは規制される。
【００７０】
次に、ユーザーは、上部フィルタ清掃ユニット１００と下部フィルタ清掃ユニット２００をそれぞれ手で持って、開口部側からくの字状に開く（図６参照）。これにより、上部フィルタ清掃ユニット１００が上に持ち上がり、下部フィルタ清掃ユニット２００からフィルタ３を抜き取ることができる。
【００７１】
下部フィルタ清掃ユニット２００からフィルタ３を抜き取ったのち、ユーザーは、フィルタ３を拭き掃除などにより清掃し、再び下部フィルタ清掃ユニット２００に取り付けるが、その際、フィルタ３の先端をフィルタ挿入部２１４に差し込み、送りギア２３３に歯合する位置まで指で送り出したのち、上部フィルタ清掃ユニット１００を再び閉じることで、フィルタ清掃部５にフィルタ３が取り付けられる。
【００７２】
他方において、上部フィルタ清掃ユニット１００のダストボックス１３０内に貯留されたゴミを除去するに当たっては、ダストボックス１３０上部の開閉フラップを開いたのち、そこに掃除器などの吸引口を当てて、内部のゴミを吸い出すことで、内部のゴミを取り除くことができる。
【００７３】
しかるのち、再びリリースレバー１５０を手で把持して、室内機ユニット１に押し込んだ後、リリースレバー１５０を閉じる。これにより、リリースレバー１５０は、スライドロック１６によって自動的にロックされ、フィルタ清掃部５の室内機ユニット１への取り付けが完了する。なお、フィルタ清掃部５を取り付けたのち、フィルタ３の設置位置の初期化が行われるが、初期化方法などについては、本発明においては特に限定されない。
【符号の説明】
【００７４】
１  空気調和機（室内機ユニット）
２  熱交換器
３  フィルタ
３３  ラック溝
４  ガイドレール
５  フィルタ清掃部
６  引込みレール
１００  上部フィルタ清掃ユニット
１１０  メインフレーム
１３０  ダストボックス
１５０  リリースレバー
１８０  フィルタストッパー
１８２  ストッパー解除レバー
１８３  ストッパーレバー
２００  下部フィルタ清掃ユニット
２１０  サイドフレーム
２３０  フィルタ受け
２５０  補強フレーム
【図１】
0006037150.tif 000002
【図２】
0006037150.tif 000003
【図３】
0006037150.tif 000004
【図４】
0006037150.tif 000005
【図５】
0006037150.tif 000006
【図６】
0006037150.tif 000007
【図７】
0006037150.tif 000008
【図８】
0006037150.tif 000009
【図９】
0006037150.tif 000010
【図１０】
0006037150.tif 000011
【図１１】
0006037150.tif 000012
【図１２】
0006037150.tif 000013
【図１３】
0006037150.tif 000014
【図１４】
0006037150.tif 000015
【図１５】
0006037150.tif 000016
【図１６】
0006037150.tif 000017
【図１７】
0006037150.tif 000018
【図１８】
0006037150.tif 000019